(57)【要約】      （修正有）【課題】  残材を効率良く利用することで、在庫となる残材量を減らして、残材の保管場所の確保や残材の管理を軽減する装置を提供する。【解決手段】  建築用部材を割り付けた後に残る有効利用可能な有効部材を割り付ける有効残材割付手段７と、有効残材についての情報を記憶する有効残材情報記憶手段１０と、生産計画のある建築用計画部材についての情報を記憶する計画部材情報記憶手段１１と、有効残材情報および計画部材情報に基づいて有効残材情報を建築用計画部材に割り当てる。割り付け結果を画面上に表示する計画部材割付手段７を具備したことを特徴とする残材利用のための割付装置。【選択図】    図１
2005189935.tif 000002
【特許請求の範囲】
【請求項１】
プログラムされたコンピュータによって建築用部材を割り付けた後に残る原材の残材を利用して割り付けを行う割付装置であって、建築用部材を割り付けた後に残る原材の残材部分に対して有効利用可能な有効残材を割り付ける有効残材割付手段と、有効残材についての各種情報を記憶する有効残材情報記憶手段と、生産計画のある建築用計画部材についての各種情報を記憶する計画部材情報記憶手段と、前記の有効残材情報及び計画部材情報に基づいて有効残材に対して建築用計画部材を割り付けて、割り付け結果を画面上に表示する計画部材割付手段とを備えたことを特徴とする残材利用のための割付装置。
【請求項２】
別の割り付け作業において建築用部材の割り付け用として再利用する有効残材の各種情報を登録する有効残材情報登録手段を備えている請求項１記載の残材利用のための割付装置。
【請求項３】
前記有効残材情報登録手段は、建築用計画部材の割り付けがなされなかった有効残材の各種情報を登録する請求項２記載の残材利用のための割付装置。
【請求項４】
コンピュータによって建築用部材を割り付けた後に残る原材の残材を利用して割り付けを行わせる割付用プログラムであって、前記コンピュータを、建築用部材を割り付けた後に残る原材の残材部分に対して有効利用可能な有効残材を割り付ける有効残材割付手段、有効残材についての各種情報を記憶する有効残材情報記憶手段、生産計画のある建築用計画部材についての各種情報を記憶する計画部材情報記憶手段、前記の有効残材情報及び計画部材情報に基づいて有効残材に対して建築用計画部材を割り付けて、割り付け結果を画面上に表示する計画部材割付手段として機能させるための割付用プログラム。
【請求項５】
前記コンピュータを、別の割り付け作業において建築用部材の割り付け用として再利用する有効残材の各種情報を登録する有効残材情報登録手段として機能させる請求項４記載の割付用プログラム。
【請求項６】
前記有効残材情報登録手段は、建築用計画部材の割り付けがなされなかった有効残材の各種情報を登録する請求項５記載の割付用プログラム。
【請求項７】
請求項４乃至６のいずれかに記載の割付用プログラムを記録したコンピュータ読み取り可能な記録媒体。
【発明の詳細な説明】
【技術分野】
【０００１】
この発明は、建築用部材を割り付けた後に残る残材の有効利用を図るために、残材に対する割り付けを行う割付装置、割付用プログラム及び割付用プログラムを記録したコンピュータ読み取り可能な記録媒体に関する。
【背景技術】
【０００２】
住宅の建築現場における建築用部材の加工作業を軽減するため、工場でプレカットした建築用部材を建築現場へ搬入していることが多い。例えば、構造用合板や野地板、サイディング材等の建築用板材のプレカットに際しては、原板に対して建築用板材を割り付けて、その割り付けに従って建築用板材を切り出すようにしている。
【０００３】
このようにして建築用板材をプレカットした後には残材が生じるが、従来においては、例えば特許文献１にも開示されているように、プレカット後に生じた残材を登録しておいて、別の割り付け作業おいて再利用することで、必要原板及び廃材となる残材の削減を図っている。
【０００４】
【特許文献１】特開平１１−２４２７０７号公報
【発明の開示】
【発明が解決しようとする課題】
【０００５】
しかしながら、上記のように残材を登録して別の割り付け作業において再利用するだけの場合、別の割り付け作業がなされるまでの間、残材を在庫として保管しておかなければならず、特に比較的大型の残材が多く残る場合には、保管場所の確保が面倒であり、また残材の管理も面倒であった。
【０００６】
この発明は、上記の不具合を解消して、残材を効率良く利用することで、在庫となる残材量を減らして、残材の保管場所の確保や残材の管理といった面倒な作業を軽減することができる残材利用のための割付装置、割付用プログラム及び割付用プログラムを記録したコンピュータ読み取り可能な記録媒体の提供を目的とする。
【課題を解決するための手段】
【０００７】
上記の課題を解決するため、この発明の割付装置は、プログラムされたコンピュータによって建築用部材を割り付けた後に残る原材の残材を利用して割り付けを行うものであって、建築用部材を割り付けた後に残る原材の残材部分に対して有効利用可能な有効残材を割り付ける有効残材割付手段と、有効残材についての各種情報を記憶する有効残材情報記憶手段と、生産計画のある建築用計画部材についての各種情報を記憶する計画部材情報記憶手段と、前記の有効残材情報及び計画部材情報に基づいて有効残材に対して建築用計画部材を割り付けて、割り付け結果を画面上に表示する計画部材割付手段とを備えたことを特徴とする。
【０００８】
また、別の割り付け作業において建築用部材の割り付け用として再利用する有効残材の各種情報を登録する有効残材情報登録手段を備えている。
【０００９】
さらに、前記有効残材情報登録手段は、建築用計画部材の割り付けがなされなかった有効残材の各種情報を登録する。
【００１０】
この発明の割付用プログラムは、コンピュータによって建築用部材を割り付けた後に残る原材の残材を利用して割り付けを行わせるものであって、前記コンピュータを、建築用部材を割り付けた後に残る原材の残材部分に対して有効利用可能な有効残材を割り付ける有効残材割付手段、有効残材についての各種情報を記憶する有効残材情報記憶手段、生産計画のある建築用計画部材についての各種情報を記憶する計画部材情報記憶手段、前記の有効残材情報及び計画部材情報に基づいて有効残材に対して建築用計画部材を割り付けて、割り付け結果を画面上に表示する計画部材割付手段として機能させるようになっている。
【００１１】
また、前記コンピュータを、別の割り付け作業において建築用部材の割り付け用として再利用する有効残材の各種情報を登録する有効残材情報登録手段として機能させるようになっている。
【００１２】
さらに、前記有効残材情報登録手段は、建築用計画部材の割り付けがなされなかった有効残材の各種情報を登録する。
【００１３】
この発明のコンピュータ読み取り可能な記録媒体は、上記の割付用プログラムを記録したものである。
【発明の効果】
【００１４】
この発明では、原材に対する建築用部材の割り付けに際して残材が残ると、建築用計画部材を割り付けて残材の有効利用を図っているので、プレカット後の残材を一旦登録して、別の割り付け作業において再利用するだけの場合と比べて、在庫となる残材量を減らして、残材の保管場所の確保や残材の管理といった面倒な作業を軽減することができる。
【００１５】
また、建築用計画部材の割り付けがなされなかった有効残材を、別の割り付け作業において再利用するために登録することで、残材のさらなる有効利用を図ることができる。
【発明を実施するための最良の形態】
【００１６】
以下、この発明の実施形態を図面に基づいて詳細に説明する。この発明の一実施形態に係る割付装置は、図１に示すように、ＣＰＵ（中央処理装置）(１)、ＲＯＭ（リードオンリーメモリ）(２)、ＲＡＭ（ランダムアクセスメモリ）(３)、入力部(４)、記憶部(５)、出力部(６)を備えている。
【００１７】
入力部(４)は、各種情報を入力したり、各種条件の設定入力を行うためのものであり、キーボードやマウス等からなる
記憶部(５)は、割付用プログラム(７)と、原材である原板についての各種情報(８)と、割り付け予定の建築用板材についての各種情報(９)と、後述する有効残材についての各種情報(10)と、建築用板材とは異なる生産計画のある建築用計画部材についての各種情報(11)とが記憶されるハードディスク等からなる。
【００１８】
割付用プログラム(７)は、エンジン化されて様々なシステムへの組み込みが可能となっている。この割付プログラム(７)は、ＣＤ-ＲＯＭ、ＤＶＤ等の記録媒体に記録されていて、これを図示しないドライブにセットして使用したり、又は記憶部(５)にコピー(インストール)して使用するようになっている。なお、割付用プログラム(７)は、別のコンピュータの記録媒体に記録されていて、インターネットを介して記憶部(５)にダウンロードさせるようにしても良い。
【００１９】
出力部(６)は、ＣＲＴ或いは液晶表示装置等のディスプレイ(15)やプリンタ(16)からなる。
【００２０】
そして、ＣＰＵ(１)は、記憶部(５)に記憶されている割付用プログラム(７)に従いながら、原板情報(８)及び板材情報(９)に基づいて、必要原板量が最小となるように原板に対して建築用板材を割り付けるとともに、これと同時に建築用部材を割り付けた後に残る原板の残材部分に対して有効利用可能な有効残材を割り付け、さらに有効残材情報(10)及び計画部材情報(11)に基づいて、有効残材に対して建築用計画部材を割り付けて、それら割り付け結果を出力部(６)のディスプレイ(15)の画面上に表示したり、プリンタ(16)によって印字するようになっている。
【００２１】
さらに、ＣＰＵ(１)は、割付用プログラム(７)に従って、建築用計画部材の割り付けがなされず、別の割り付け作業において建築用部材の割り付け用として再利用する有効残材の各種情報を記憶部(５)に登録するようになっている。
【００２２】
次に、上記の割付装置による建築用板材の割り付け動作を、図２に基づいて説明する。
【００２３】
まず、割付用プログラム(７)を起動させて、入力部(４)を操作することで、割り付けに使用する原板についての例えば寸法、形状、種類、柄や実、枚数等の各種原板情報(８)を入力するとともに、割り付け予定の野地板等の建築用板材についての例えば寸法、形状、種類、柄や実、用途、生産枚数等の各種板材情報(９)を住宅の邸名情報とともに入力する(Ｓ１)。そして、これらの原板及び建築用板材についての各種情報(８)(９)が記憶部(５)に記憶される。
【００２４】
このとき、例えばＣＡＤシステム等が組み込まれていて、既に建築用板材についての情報が入力されている場合には、その情報を利用することも可能である。例えば、野地板の割り付けを行う際に、図３に示すような野地板(21)(21)…の配置を示す図形情報等がＣＡＤシステムによって既に入力されているのであれば、その情報から各種情報を抽出すれば良い。
【００２５】
次に、ＣＰＵ(１)が、原板及び割り付け予定の建築用板材についての各種情報(８)(９)に基づいて、原板に対して建築用板材を割り付ける(Ｓ２)。
【００２６】
さらに、ＣＰＵ(１)は、この建築用板材の割り付けと同時に、図４及び図５に示すように、建築用部材(21)を割り付けた後に残る原板(20)の残材(22)部分に対して有効利用可能な有効残材(22a)を割り付ける(Ｓ３)。すなわち、建築用板材(21)を割り付けた後に残る原板(20)の残材(22)は歪な形状となっていることが多いので、一部をカットして形状を整えるような割り付けを行う。なお、この割り付けに際しては、縦方向又は横方向のいずれのカットを優先させた割り付けにするかを選択することができる。図４及び図５においては、横方向のカットを優先させた割り付けとなっている。(24)はカット線である。
【００２７】
そして、ＣＰＵ(１)は、割り付けられた有効残材(22a)についての形状、寸法等の有効残材情報(10)を記憶部(５)に記憶しておき(Ｓ４)、建築用計画部材を生産する必要が有るか否かを記憶部(５)の計画部材情報(11)から判断する(Ｓ５)。
【００２８】
建築用計画部材の生産計画があって、その建築用計画部材の生産個数が予定個数に達しておらず、建築用計画部材を生産する必要がある場合には、図４に示すように、有効残材情報(10)及び計画部材情報(11)に基づいて、有効残材(22a)に対して生産計画のある建築用計画部材(23)(23)を割り付ける(Ｓ６)。例えば、建築用板材として野地板を割り付ける場合には、その割り付けによって生じる有効残材に対して、野地板とは異なる例えばカーテンレール下地材を建築用計画部材として割り付けるようにしている。
【００２９】
一方、建築用計画部材の生産計画がない、或いは、建築用計画部材の生産個数が予定個数に達していて、建築用計画部材を生産する必要がない場合、或いは、建築用計画部材を割り付けた後にさらに有効残材が残る場合には、図５に示すように、有効残材(22a)を別邸についての建築用板材(21)の割り付け作業において原板として再利用するために、有効残材(22a)の各種情報(10)を記憶部(５)に登録する(Ｓ７)。なお、図４及び図５において(25)は、有効残材(22a)以外の残材であって、廃棄処分される。別の割り付け作業に際しては、有効残材(22a)に対する建築用板材(21)の割り付けを優先的に行うことで、有効残材(22a)を早期に処理する。
【００３０】
そして、割り付け作業が終了すると、図６に示すような割り付け結果を出力部(６)のディスプレイ(15)の画面上に表示する(Ｓ８)。また、必要に応じて、プリンタ(16)によって割り付け結果を印字する。
【００３１】
このようにして出力された割り付け結果に基づいて、ランニングソーや自動加工機を使用して原板からの建築用板材の切り出しが行われる。そして、建築用計画部材が割り付けられている場合には、有効残材から建築用計画部材が切り出される。
【００３２】
なお、この発明は、上記実施形態に限定されるものではなく、この発明の範囲内で上記実施形態に多くの修正及び変更を加え得ることは勿論である。
【図面の簡単な説明】
【００３３】
【図１】この発明の一実施形態に係る割付装置の構成図である。
【図２】割り付け動作を示す制御フローチャートである。
【図３】野地板の配置を表した図形情報を示す図である。
【図４】有効残材に対する建築用計画部材の割り付けを説明するための図である。
【図５】有効残材の再利用を説明するための図である。
【図６】画面上に表示された割り付け結果を示す図である。
【符号の説明】
【００３４】
(１)  ＣＰＵ
(４)  入力部
(５)  記憶部
(６)  出力部  
(７)  割付用プログラム
(10)  有効残材情報
(11)  計画部材情報
(20)  原板(原材)
(21)  建築用板材(建築用部材)
(22)  残材
(22a)  有効残材
(23)  建築用計画部材
【図１】
2005189935.tif 000003
【図２】
2005189935.tif 000004
【図３】
2005189935.tif 000005
【図４】
2005189935.tif 000006
【図５】
2005189935.tif 000007
【図６】
2005189935.tif 000008